(57)【要約】【課題】バッチ処理の効率を向上させることが可能な紙葉類処理装置および紙葉類処理方法を提供する。【解決手段】入金部１１に投入された複数枚の紙葉類を、予め設定されたバッチ枚数ずつ計数して出金部１２に出金する紙葉類処理装置１０であって、入金部１１に投入された紙葉類の保留および当該保留した紙葉類の繰り出しを行う一時保留部１８と、一時保留部１８における紙葉類の繰り出し制御および入金部１１に投入された紙葉類の搬送制御を行う制御部と、を有し、制御部は、一時保留部１８に保留された紙葉類を前記バッチ枚数ずつ繰り出して出金部１２に分割して出金する制御を行う。【選択図】図１
2020149414.tif 000002
【特許請求の範囲】
【請求項１】
入金部に投入された複数枚の紙葉類を、予め設定されたバッチ枚数ずつ計数して出金部に出金する紙葉類処理装置であって、
前記入金部に投入された紙葉類の保留および当該保留した紙葉類の繰り出しを行う一時保留部と、
前記一時保留部における紙葉類の繰り出し制御および前記入金部に投入された紙葉類の搬送制御を行う制御部と、を有し、
前記制御部は、
前記一時保留部に保留された紙葉類を前記バッチ枚数ずつ繰り出して前記出金部に分割して出金する制御を行う紙葉類処理装置。
【請求項２】
前記一時保留部は、
紙葉類を一枚ずつ巻き取り可能に構成された回転体を有し、
前記回転体は、
前記巻き取った紙葉類を一枚ずつ繰り出す請求項１に記載の紙葉類処理装置。
【請求項３】
前記一時保留部に保留可能な紙葉類の枚数を算出する算出部を有し、
前記制御部は、
前記算出部で算出した前記一時保留部に保留可能な枚数の紙葉類を前記一時保留部に保留する請求項１または請求項２に記載の紙葉類処理装置。
【請求項４】
前記算出部は、
空状態の前記一時保留部に保留可能な紙葉類の最大保留可能枚数と、前記一時保留部に現在保留されている紙葉類の枚数とに基づいて、現時点で前記一時保留部に保留可能な紙葉類の保留可能枚数を算出する請求項３に記載の紙葉類処理装置。
【請求項５】
前記入金部に投入された複数枚の紙葉類のうち予め設定された前記バッチ枚数だけ紙葉類を計数して出金部に搬送する計数モードと、前記入金部に投入された複数枚の紙葉類を所定の種類ごとに分類して収納する収納モードと、を切り替えるモード切替部を有する請求項１から請求項４の何れか一項に記載の紙葉類処理装置。
【請求項６】
前記制御部は、
前記一時保留部に保留されている紙葉類の枚数が、予め設定された前記バッチ枚数未満であると判断した場合、前記入金部に投入された紙葉類を、前記一時保留部に保留される紙葉類の枚数が少なくとも前記バッチ枚数以上となるように前記一時保留部に保留する請求項１から請求項５の何れか一項に記載の紙葉類処理装置。
【請求項７】
前記紙葉類処理装置の稼動状況に関する情報を表示する表示部をさらに有し、
前記表示部は、
前記一時保留部に保留されている紙葉類の枚数が予め設定された前記バッチ枚数以上である第１状態と、前記一時保留部に保留されている紙葉類の枚数が予め設定された前記バッチ枚数未満である第２状態とで、前記紙葉類処理装置の稼働状況を異なる表示態様で表示する請求項１から請求項６の何れか一項に記載の紙葉類処理装置。
【請求項８】
入金部に投入された複数枚の紙葉類を、予め設定されたバッチ枚数ずつ計数して出金部に出金する紙葉類処理方法であって、
前記入金部に投入された複数枚の紙葉類のうち一時保留部に保留可能な枚数を算出し、
前記算出された前記一時保留部に保留可能な枚数の紙葉類を前記一時保留部に搬送して保留し、
前記一時保留部に保留された紙葉類を一枚ずつ前記バッチ枚数に到達するまで前記出金部に出金する紙葉類処理方法。
【請求項９】
前記一時保留部は、回転体により紙葉類を一枚ずつ巻き取って保留する請求項８に記載の紙葉類処理方法。
【請求項１０】
空状態の前記一時保留部に保留可能な紙葉類の最大保留可能枚数と、前記一時保留部に現在保留されている紙葉類の枚数とに基づいて、現時点で前記一時保留部に保留可能な紙葉類の保留可能枚数を算出する請求項８または請求項９に記載の紙葉類処理方法。
【発明の詳細な説明】
【技術分野】
【０００１】
本発明は、紙葉類処理装置および紙葉類処理方法に関する。
【背景技術】
【０００２】
従来、紙幣を所定の金種ごとに分類して集積する紙葉類処理装置では、紙幣を所定の金種ごとに分類して集積する機能のほか、特定金種の紙幣を所定枚数（例えば、１００枚）ごとに計数する整理計数機能を有しているものがある（例えば、特許文献１）。
【先行技術文献】
【特許文献】
【０００３】
【特許文献１】特許第３７５３７７９号公報
【発明の概要】
【発明が解決しようとする課題】
【０００４】
この種の紙葉類処理装置は、入金された紙幣の搬送先として一時保留部と出金部との２箇所を有している。そのため、この種の紙葉類処理装置では、特定金種の紙幣を所定枚数ごとに分離して取り出し可能とするバッチ処理を行う場合、入金部にセットされた紙幣を所定のバッチ枚数だけ識別及び計数したのち一時保留部に一旦保留し、この一時保留部に保留されたバッチ枚数の紙幣を一時保留部から出金部に繰り出すようになっている。そして、出金部からバッチ枚数の紙幣が取り出されると、前述と同様に、入金部にセットされた紙幣からバッチ枚数の紙幣を一時保留部に一旦保留してから出金部に繰り出し、入金部に入金された紙幣が無くなるまでこの処理を複数回繰り返す。
【０００５】
例えば、紙葉類処理装置の入金部に特定金種の紙幣が２５０枚投入され、ここから１００枚ずつ計数して出金部に取り出す場合、まず初めに、入金部から１００枚の紙幣が識別及び計数されて一時保留部に保留された後、一時保留部に保留されたこれら１００枚の紙幣が出金部に繰り出される。続いて、入金部からさらに１００枚の紙幣が識別及び計数されて一時保留部に保留された後、一時保留部に保留されたこれら１００枚の紙幣が出金部に繰り出される。最後に入金部から残りの５０枚の紙幣が識別及び計数されて一時保留部に保留された後、一時保留部に保留されたこれら５０枚の紙幣が出金部又はリジェクト部に繰り出されて合計２５０枚のバッチ処理が終了する。
【０００６】
そのため、入金部に投入された紙幣の枚数が多い場合、紙幣を入金部から一時保留部に搬送する回数が多くなり、入金部に投入された紙幣を所定枚数ずつ分離する処理時間が長くなってしまう。このような問題は、紙幣以外の紙葉類をバッチ処理する場合にも同様に生じる。
【０００７】
したがって、本発明は、バッチ処理の効率を向上させることが可能な紙葉類処理装置および紙葉類処理方法を提供することを目的とする。
【課題を解決するための手段】
【０００８】
本発明の第１の態様は、入金部に投入された複数枚の紙葉類を、予め設定されたバッチ枚数ずつ計数して出金部に出金する紙葉類処理装置であって、前記入金部に投入された紙葉類の保留および当該保留した紙葉類の繰り出しを行う一時保留部と、前記一時保留部における紙葉類の繰り出し制御および前記入金部に投入された紙葉類の搬送制御を行う制御部と、を有し、前記制御部は、前記一時保留部に保留された紙葉類を前記バッチ枚数ずつ繰り出して前記出金部に分割して出金する制御を行う。
【０００９】
また、本発明の第２の態様は、入金部に投入された複数枚の紙葉類を、予め設定されたバッチ枚数ずつ計数して出金部に出金する紙葉類処理方法であって、前記入金部に投入された複数枚の紙葉類のうち一時保留部に保留可能な枚数を算出し、前記算出された前記一時保留部に保留可能な枚数の紙葉類を前記一時保留部に搬送して保留し、前記一時保留部に保留された紙葉類を一枚ずつ前記バッチ枚数に到達するまで前記出金部に出金する。
【発明の効果】
【００１０】
本発明によれば、バッチ処理の効率を向上させることが可能な紙葉類処理装置および紙葉類処理方法を提供することができる。
【図面の簡単な説明】
【００１１】
【図１】実施形態の紙葉類処理装置の内部構成を概略的に示す側面図である。
【図２】実施形態の紙葉類処理装置の演算装置等の構成を示すブロック図である。
【図３】実施形態の紙葉類処理装置の内部構成を概略的に示す側面図であって、入金処理ルートおよびバッチ処理の往路処理ルートを太線で示すものである。
【図４】実施形態の紙葉類処理装置の内部構成を概略的に示す側面図であって、収納処理ルートを太線で示すものである。
【図５】実施形態の紙葉類処理装置を概略的に示す側面図であって、返却処理ルートおよびバッチ処理の復路処理ルートを太線で示すものである。
【図６】実施形態の紙葉類処理装置を概略的に示す側面図であって、出金処理ルートを太線で示すものである。
【図７】実施形態の紙葉類処理装置の操作表示部の表示例を示す正面図である。
【図８】実施形態の紙葉類処理装置の操作表示部の表示例を示す正面図である。
【図９】実施形態の紙葉類処理装置のバッチ処理の基本制御を示すフローチャートである。
【発明を実施するための形態】
【００１２】
実施形態の紙葉類処理装置を図面を参照して以下に説明する。本実施形態に係る紙葉類処理装置１０は、紙葉類の一態様としての紙幣を処理するものである。勿論、紙幣以外の紙葉類を処理することも可能である。紙葉類処理装置１０は、外部から投入された紙幣を内部に収納する入金処理と、内部に収納されている紙幣を外部に取り出し可能に出金する出金処理とが可能な紙幣入出金装置である。なお、以下の説明における「前」は操作者側を、「後」は操作者とは反対側を、「左」は操作者から見て左を、「右」は操作者から見て右を示す。
【００１３】
図１に示すように、紙葉類処理装置１０の前面側の上部には、入金用の紙幣が外部から投入される入金部１１が設けられており、この入金部１１の上方かつ後方に、入金用の紙幣のうち受け入れ不可なリジェクト紙幣が内部から繰り出されるとともに出金用の紙幣が内部から繰り出され、これらを外部に取り出し可能とする出金部１２が設けられている。
【００１４】
入金部１１には、入金部１１の紙幣の有無を検知する図示略のセンサが設けられており、出金部１２にも、出金部１２の紙幣の有無を検知する図示略のセンサが設けられている。入金部１１と出金部１２とは、高さ方向の位置を重ね合わせて設けられており、前後方向の位置も重ね合わせて設けられている。紙葉類処理装置１０の上面の出金部１２の後方には操作者の操作入力を受け付けるとともに操作者に対し表示を行うタッチパネル式の操作表示部１４（表示部）と紙葉類処理装置１０の全体を制御する演算装置１５とが設けられている。操作表示部１４は、紙葉類処理装置１０の操作画面や稼働状況に関する情報画面を表示する。
【００１５】
入金部１１の後方には、紙幣を識別する識別部１７が入金部１１と高さ方向の位置を重ね合わせて設けられており、この識別部１７の後方には、識別部１７により識別された紙幣を一時的に保留する一時保留部１８が入金部１１および識別部１７と高さ方向の位置を重ね合わせて設けられている。入金部１１の下部と識別部１７の上部とが高さ方向の位置を重ね合わせて設けられており、入金部１１の上部と識別部１７の下部とは高さ方向の位置をずらして設けられている。識別部１７の全体と一時保留部１８の中間部から下部とが高さ方向の位置を重ね合わせており、一時保留部１８の上部は識別部１７に対し高さ方向の位置をずらしている。一時保留部１８は、その上部が出金部１２の下部と高さ方向の位置を重ね合わせている。入金部１１と識別部１７と一時保留部１８とが、装置前方から後方に向けて、入金部１１、識別部１７、一時保留部１８の順に配置されている。入金部１１と識別部１７とは前後方向の位置を完全にずらしており、識別部１７と一時保留部１８とは前後方向の位置を完全にずらしている。
【００１６】
入金部１１には、載置板１９が後下がりの姿勢で設けられており、この載置板１９は、入金部１１内で後上がりの方向に上昇し前下がりの方向に下降する。下降状態にある載置板１９上に集積状態の紙幣が外部から載置されることになり、載置板１９上に載置された紙幣は後上がりの方向に集積された状態となる。載置板１９は上昇して集積状態の紙幣を後上がりの方向に搬送し、集積状態の紙幣を集積方向の上端のものから一枚ずつ紙葉類処理装置１０の内部に繰り出す。
【００１７】
紙葉類処理装置１０は、入金部１１と、出金部１２と、識別部１７と、一時保留部１８と、後述する前方カセット５１と、複数の収納庫５２との間で紙幣を搬送する搬送機構２０を内部に有している。
【００１８】
搬送機構２０は、入金部１１の後端部から延びて、入金部１１から繰り出された紙幣を識別部１７に搬送する入金搬送路２１を有している。入金搬送路２１は、入金部１１から後下がりに延出する傾斜送路部２２と、傾斜送路部２２の後端から水平後方に延出する水平送路部２３とを有している。入金搬送路２１は、水平送路部２３の後端部において識別部１７に接続されている。
【００１９】
搬送機構２０は、識別部１７内で、入金搬送路２１の水平送路部２３と同一直線上に配置されて水平送路部２３の後端部から水平後方に延出する内部搬送路２５を有している。内部搬送路２５は、水平送路部２３から引き続き後方に紙幣を搬送する。識別部１７は、内部搬送路２５で搬送中の紙幣の真偽、正損、金種、重送、斜行等を識別する。
【００２０】
搬送機構２０は、識別部１７の内部搬送路２５の後端部から水平後方に延出する直線搬送路２６を有しており、この直線搬送路２６の後端部が一時保留部１８に接続されている。直線搬送路２６は、内部搬送路２５から引き続き後方に紙幣を搬送する。入金搬送路２１の水平送路部２３と内部搬送路２５と直線搬送路２６とは同一直線上で一直線に並んでおり、識別部１７と一時保留部１８とが一直線の直線搬送路２６で接続されている。例えば、入金部１１に投入された紙幣が、入金部１１から入金搬送路２１で識別部１７に向けて搬送され、識別部１７で識別後に直線搬送路２６で一時保留部１８に搬送される。上記のように識別部１７と一時保留部１８とは高さ方向の位置を重ね合わせており、直線搬送路２６が横方向、具体的には水平方向に延在して、これらを結んでいる。
【００２１】
一時保留部１８は、紙幣を保留するもので、直線搬送路２６で搬送されてきた紙幣を一枚ずつ取り込んで収納し、収納している紙幣を一枚ずつ直線搬送路２６に繰り出す。一時保留部１８は、例えば、入金部１１に投入された紙幣の保留および当該保留した紙幣の繰り出しを行う。この一時保留部１８は、図２に示すように、紙幣Ｓを一枚ずつ間隔をあけてテープ３０とともにドラム３１（回転体）に巻き付けて収納する巻付収納タイプであり、よって、保留している紙幣Ｓをテープ３０とともにドラム３１から解いて一枚ずつ間隔をあけて計数しながら繰り出す。言い換えれば、一時保留部１８は、紙幣Ｓを一枚ずつ巻き取り可能に構成されたドラム３１を有し、ドラム３１は、巻き取った紙幣Ｓを一枚ずつ繰り出す。
【００２２】
巻付収納タイプの一時保留部１８は、保留する際の順番とは逆の順番で紙幣Ｓを繰り出すことになる。このため、複数金種の紙幣Ｓをランダムに混合して保留する場合であっても、演算装置１５は、識別部１７の識別結果から保留する各紙幣Ｓの金種を把握可能となっており、よって、一時保留部１８から繰り出す各紙幣Ｓの金種を把握可能となっている。
【００２３】
一時保留部１８のドラム３１は回転軸回りに回転可能に設けられており、ドラム３１が回転軸回りの一方の方向（図１、図２では右回り）に回転することでテープ３０が巻き取られるようになっている。ドラム３１では、テープ３０が巻き取られることで、巻き取られるテープ３０の間で紙幣Ｓを一枚ずつ挟み込んで保持するようになっている。また、一時保留部１８では、ドラム３１を回転軸回りの他方の方向（図１，図２では左回り）に回転させて巻き取られたテープ３０を送り出すことで、送り出されるテープ３０の間に保持されている紙幣Ｓを一枚ずつ繰り出すようになっている。実施形態では、例えば、一時保留部１８に保留できる紙幣Ｓの最大枚数は１０００枚となっている。
【００２４】
図１に示すように、搬送機構２０は、直線搬送路２６の中間位置から上方に分岐する出金搬送路３５を有しており、この出金搬送路３５が出金部１２に接続されている。出金搬送路３５が分岐することによって、直線搬送路２６は、出金搬送路３５の分岐位置から前側の前側送路部２６ａと、出金搬送路３５の分岐位置から後側の後側送路部２６ｂとに分けられる。前側送路部２６ａと後側送路部２６ｂとの間は紙幣Ｓの行き来が可能であり、前側送路部２６ａと出金搬送路３５との間は前側送路部２６ａから出金搬送路３５への紙幣Ｓの搬送が可能であって、後側送路部２６ｂと出金搬送路３５との間は後側送路部２６ｂから出金搬送路３５への紙幣Ｓの搬送が可能である。
【００２５】
出金搬送路３５は、直線搬送路２６で搬送されてきた紙幣Ｓを出金部１２に搬送するもので、直線搬送路２６の中間位置から鉛直上方に延出する鉛直送路部３５ａと、鉛直送路部３５ａの上端部から水平前方に延出する水平送路部３５ｂと、水平送路部３５ｂの前端部から鉛直上方に延出する鉛直送路部３５ｃと、鉛直送路部３５ｃの上端部から水平前方に延出して出金部１２に繋がる水平送路部３５ｄとを有している。
【００２６】
ここで、出金部１２は、出金搬送路３５の水平送路部３５ｄから繰り出された紙幣Ｓを前側かつ下側から後側かつ上側に斜めに集積させる。出金部１２に集積された紙幣Ｓは、出金部１２から外部に取り出される。出金搬送路３５は、例えば、一時保留部１８から直線搬送路２６に繰り出された紙幣Ｓを直線搬送路２６の途中から上方に分岐搬送して出金部１２に搬送する。
【００２７】
入金部１１、出金部１２、操作表示部１４、内部搬送路２５を含む識別部１７、一時保留部１８、入金搬送路２１、直線搬送路２６および出金搬送路３５は、紙葉類処理装置１０の上部を構成する上部ユニット４１に設けられている。
【００２８】
上部ユニット４１の下側にあって紙葉類処理装置１０の高さ方向の中間部から下部を構成する下部ユニット４２には、前部位置に前方カセット５１が設けられており、前方カセット５１の後方に、上下２段、前後４列の合計８台の収納庫５２が設けられている。８台の収納庫５２のうち、上段の４台は高さ方向の位置を一致させており、下段の４台も高さ方向の位置を一致させている。前方カセット５１の高さは、収納庫５２の２台分の高さと同等であり、前方カセット５１は、上下２段の収納庫５２と高さ方向の位置を重ね合わせている。
【００２９】
搬送機構２０は、入金搬送路２１の水平送路部２３の中間位置から下方に分岐する上下搬送路５５を有しており、この上下搬送路５５が、水平送路部２３から鉛直下方に延出して前方カセット５１に接続されている。上下搬送路５５が分岐することによって、入金搬送路２１の水平送路部２３は、上下搬送路５５の分岐位置から前側の前側構成部２３ａと、上下搬送路５５の分岐位置から後側の後側構成部２３ｂとに分けられる。前側構成部２３ａと後側構成部２３ｂとの間は、前側構成部２３ａから後側構成部２３ｂへの紙幣Ｓの搬送が可能であり、上下搬送路５５と後側構成部２３ｂとの間は紙幣Ｓの行き来が可能である。上下搬送路５５は、例えば、一時保留部１８から直線搬送路２６に繰り出され識別部１７を通過後の紙幣Ｓを識別部１７の直線搬送路２６とは反対側の入金搬送路２１の途中から下方に分岐搬送して前方カセット５１に収納する。
【００３０】
前方カセット５１は、紙幣Ｓを一枚ずつ取り込んで収納可能であり、収納している紙幣Ｓを一枚ずつ繰り出し可能となっている。前方カセット５１は、紙幣Ｓを上部から受け入れて水平状態で下から上に集積させて収納するとともに、収納している紙幣Ｓを上端部のものから繰り出す集積収納タイプとなっている。集積収納タイプの前方カセット５１は、一時保留部１８および後述する収納庫５２のような巻付収納タイプに比べて紙幣Ｓの収納効率が大幅に高い。その一方で、一時保留部１８および後述する収納庫５２のような巻付収納タイプは、集積収納タイプの前方カセット５１に比べて、紙幣Ｓの重送を生じる可能性が低く、保留している紙幣Ｓを正確に一枚ずつ分離し間隔をあけて繰り出し可能である。
【００３１】
搬送機構２０は、上下搬送路５５の中間位置から後方に分岐する収納搬送路５７を有している。この収納搬送路５７は、上下搬送路５５から水平後方に延出した後、紙葉類処理装置１０の後端部付近で下方に延出して後端上段の収納庫５２に接続されており、この収納庫５２を介して後端の下段の収納庫５２にも接続されている。収納搬送路５７が分岐することによって、上下搬送路５５は、収納搬送路５７の分岐位置から上側の上側送路部５５ａと、収納搬送路５７の分岐位置から下側の下側送路部５５ｂとに分けられる。
【００３２】
搬送機構２０は、収納搬送路５７の中間位置から下方に分岐する複数具体的には３カ所の分岐搬送路６１、６２、６３を有している。分岐搬送路６１、６２、６３は、前側３列の上段の収納庫５２に接続されており、各上段の収納庫５２を介して、それぞれの同列下段の収納庫５２に接続されている。
【００３３】
８台の収納庫５２は、いずれも、紙幣Ｓを一枚ずつ間隔をあけてテープとともにドラム７１に巻き付けて収納する巻付収納タイプであり、よって、保留している紙幣Ｓをテープとともにドラム７１から解いて一枚ずつ間隔をあけて計数しながら繰り出す。巻付収納タイプの収納庫５２は、保留する際の順番とは逆の順番で紙幣Ｓを繰り出す。このため、１台に複数金種の紙幣Ｓをランダムに混合して収納する場合であっても、演算装置１５は、識別部１７の識別結果から収納する各紙幣Ｓの金種を把握可能となっており、よって、収納庫５２から繰り出す各紙幣Ｓの金種を把握可能となっている。
【００３４】
収納搬送路５７および分岐搬送路６１、６２、６３は、例えば、一時保留部１８から直線搬送路２６に繰り出され識別部１７を通過後の紙幣Ｓを入金搬送路２１の途中から下方に分岐搬送し上下搬送路５５の途中から後方に分岐搬送して８台の収納庫５２に選択的に収納させる。８台の収納庫５２は、例えば、８台全部を、それぞれが設定された単一金種の紙幣Ｓのみを収納する単金種収納庫に設定したり、そのうちの何台かを、それぞれが設定された単一金種の紙幣Ｓのみを収納する単金種収納庫に設定し、残りを、それぞれ複数金種の紙幣Ｓを金種混合で収納する金種混合収納庫に設定したりすることができる。
【００３５】
下部ユニット４２には、前方カセット５１と、８台の収納庫５２と、上下搬送路５５の上側送路部５５ａの下部と、下側送路部５５ｂと、収納搬送路５７と、分岐搬送路６１〜６３とが設けられている。上下搬送路５５の上側送路部５５ａの上部は上部ユニット４１に設けられている。
【００３６】
下部ユニット４２は、前方に開口する直方体の箱状の筐体７５と、８台の収納庫５２が設けられて筐体７５内に配置されるユニット本体７６と、筐体７５の前部開口を開閉する扉体７７とを有している。前方カセット５１は、ユニット本体７６に対し着脱可能に設けられている。
【００３７】
図２に示すように、演算装置１５は、紙葉類処理装置１０の図１に示す入金部１１、一時保留部１８、搬送機構２０、前方カセット５１および複数の収納庫５２の駆動制御を行う制御部８１と、一時保留部１８に保留可能な紙幣Ｓの枚数等を算出する算出部８２と、操作表示部１４に表示する表示情報を生成する表示情報生成部８３と、操作表示部１４への操作入力に応じて紙葉類処理装置１０の動作モードを切り替えるモード切替部８４とを有している。
【００３８】
制御部８１は、例えば、入金部１１における紙幣Ｓの繰り出し制御、一時保留部１８における紙幣Ｓの繰り出し制御、入金部１１に投入され入金部１１から繰り出された紙幣Ｓの搬送機構２０による搬送制御、および一時保留部１８から繰り出された紙幣Ｓの搬送機構２０による搬送制御を行うことになる。制御部８１は、また例えば、一時保留部１８に保留された紙幣Ｓをバッチ枚数ずつ繰り出して出金部１２に分割して出金するバッチ処理の制御等を行うことになる。制御部８１は、バッチ処理においては、算出部８２で算出した、一時保留部１８に保留可能な枚数の紙幣Ｓを、入金部１１に投入された紙幣Ｓの中から最大限一時保留部１８に保留する。
【００３９】
次に、本実施形態に係る紙葉類処理装置１０の主な作動について説明する。
【００４０】
演算装置１５のモード切替部８４は、操作表示部１４への操作入力に応じて、紙葉類処理装置１０の動作モードを切り替える。実施形態では、入金部１１に投入された複数枚の紙幣Ｓを金種ごとに分類して金種ごとに決められた収納庫５２に振り分けて収納する収納モードと、複数の収納庫５２から紙幣Ｓを出金部１２に取り出し可能に出金する出金モードと、入金部１１に投入された複数枚の紙幣Ｓから、同一の特定金種の紙幣Ｓを予め設定されたバッチ枚数ずつ計数しバッチ枚数ずつに分割して出金部１２に出金する計数モードと、に切り替える。
【００４１】
言い換えれば、モード切替部８４は、紙葉類処理装置１０について、入金部１１に投入された複数枚の紙幣Ｓのうち予め設定されたバッチ枚数だけ紙幣Ｓを計数して出金部１２に搬送することを適宜繰り返す計数モードと、入金部１１に投入された複数枚の紙幣Ｓを所定の種類ごとに分類して収納する収納モードと、指定された種類の紙幣Ｓを出金部１２に取り出し可能に出金する出金モードと、を切り替える。紙葉類処理装置１０は、オペレータによる操作表示部１４への操作に応じて、モード切替部８４により収納モードと出金モードと計数モードとに切り替えられる。なお、紙葉類処理装置１０が有している動作モードは、これら３つの動作モードに限定されるものではなく、他の動作モードを有していてもよい。
【００４２】
操作表示部１４への操作入力に応じて、モード切替部８４が、紙葉類処理装置１０を収納モードに切り替えると、制御部８１は、操作表示部１４への操作入力に応じて、以下の入金処理と収納処理と、あるいは、入金処理と返却処理とを行う。
【００４３】
［入金処理］
入金部１１に外部から紙幣Ｓが投入されたことを図示略のセンサで検知した状態で、操作表示部１４へ入金処理開始の操作が入力されると、紙葉類処理装置１０は、制御部８１で制御されて、その入金部１１および搬送機構２０によって、図３に太線で示す入金処理ルートにより紙幣Ｓを搬送する。
【００４４】
つまり、入金部１１が紙幣Ｓを一枚ずつ分離し所定の間隔をあけて繰り出し、繰り出された紙幣Ｓを、搬送機構２０の入金搬送路２１、識別部１７の内部搬送路２５および直線搬送路２６の前側送路部２６ａが搬送する。内部搬送路２５での搬送中に、識別部１７が紙幣Ｓを識別することになり、識別部１７が受け入れ可能と識別した紙幣Ｓを、直線搬送路２６の前側送路部２６ａから後側送路部２６ｂに搬送し、後側送路部２６ｂが一時保留部１８に搬送して、一時保留部１８が保留する（図３の太実線参照）。他方、識別部１７が受け入れ不可と識別した紙幣Ｓについては、直線搬送路２６の前側送路部２６ａから出金搬送路３５に搬送し、出金搬送路３５が出金部１２に搬送する（図３の太実線から太破線参照）。
【００４５】
ここで、入金部１１は厚さ方向に集積された状態の紙幣Ｓを分離して繰り出すものであるため、繰り出し時に、紙幣Ｓの重送、斜行等の搬送不良を生じる可能性がある。このような搬送不良の紙幣Ｓも識別部１７が受け入れ不可と識別し、搬送機構２０が出金部１２に搬送する。なお、制御部８１は、入金処理中に、出金部１２に搬送する紙幣Ｓが生じた場合、それに応じて、一時保留部１８を停止させ、一時保留部１８に保留する紙幣Ｓと紙幣Ｓとの取り込み間隔が一定になるように制御する。
【００４６】
入金部１１に投入された紙幣Ｓをすべて一時保留部１８および出金部１２のいずれかに搬送した状態になると、識別部１７の識別結果から一時保留部１８に一時貯留させている紙幣Ｓの金種別の枚数および総額等の金額情報を操作表示部１４が表示する。出金部１２に搬送された紙幣Ｓは、外部に取り出し可能となる。なお、出金部１２とは別に、紙幣Ｓを外部に取り出し可能とするリジェクト部を設けて、このリジェクト部に受け入れ不可の紙幣Ｓを搬送するようにしても良い。
【００４７】
［収納処理］
入金処理後の金額情報の操作表示部１４の表示後、操作者が操作表示部１４に承認操作を入力すると、紙葉類処理装置１０は、制御部８１で制御されて、その一時保留部１８、搬送機構２０および８台の収納庫５２によって、図４に太線で示す収納処理ルートで紙幣Ｓを搬送する。
【００４８】
つまり、一時貯留させていた紙幣Ｓを一時保留部１８が一枚ずつ間隔をあけて繰り出し、直線搬送路２６、識別部１７の内部搬送路２５、入金搬送路２１の後側構成部２３ｂ、上下搬送路５５の上側送路部５５ａおよび収納搬送路５７が搬送する。内部搬送路２５での搬送中に、識別部１７が紙幣Ｓを識別することになり、その結果に基づいて、収納搬送路５７および分岐搬送路６１〜６３の適宜のものが８台の収納庫５２の対応するものに紙幣Ｓを振り分ける。振り分けられた紙幣Ｓを８台の収納庫５２の対応するものが収納する。
【００４９】
ここで、一時保留部１８は巻付収納タイプであるため、繰り出し時に、紙幣Ｓの重送、斜行等の搬送不良を生じることが基本的になく、一時保留部１８が繰り出した紙幣Ｓに識別部１７で収納不可と判断されるものは基本的にはない。
【００５０】
［返却処理］
入金処理後の金額情報の操作表示部１４の表示後、操作者が操作表示部１４に返却操作を入力すると、紙葉類処理装置１０は、制御部８１で制御されて、その一時保留部１８、搬送機構２０および出金部１２によって、図５に太線で示す返却処理ルートで紙幣Ｓを搬送する。
【００５１】
つまり、一時貯留させていた紙幣Ｓを、一時保留部１８が一枚ずつ間隔をあけて繰り出し、直線搬送路２６の後側送路部２６ｂおよび出金搬送路３５が出金部１２に搬送する。出金部１２に搬送された紙幣Ｓは、外部に取り出し可能となる。
【００５２】
操作表示部１４への操作入力に応じて、モード切替部８４が、紙葉類処理装置１０を出金モードに切り替えると、制御部８１は、操作表示部１４への操作入力に応じて、以下の出金処理を行う。
【００５３】
［出金処理］
操作表示部１４に、出金させる紙幣Ｓの金額情報とともに出金処理の選択操作が入力されると、単金種収納庫に設定された収納庫５２から紙幣Ｓを出金する場合、紙葉類処理装置１０は、制御部８１で制御されて、出金対象金種の紙幣Ｓが収納された収納庫５２から、搬送機構２０および出金部１２によって、図６に太線で示す出金処理ルートで紙幣Ｓを搬送する。
【００５４】
つまり、収納庫５２のうちの対応するものが、収納していた紙幣Ｓを一枚ずつ分離し計数しつつ間隔をあけて繰り出し、繰り出された紙幣Ｓを、分岐搬送路６１〜６３の適宜のもの、収納搬送路５７、上下搬送路５５の上側送路部５５ａ、入金搬送路２１の後側構成部２３ｂ、識別部１７の内部搬送路２５、直線搬送路２６の前側送路部２６ａおよび出金搬送路３５が出金部１２に搬送する。ここで、収納庫５２はすべて巻付収納タイプであるため、繰り出し時に、紙幣Ｓの重送、斜行等の搬送不良を生じることが基本的になく、収納庫５２が繰り出した紙幣Ｓに識別部１７で出金不可と判断されるものは基本的にない。出金部１２に搬送された紙幣Ｓは、外部に取り出し可能となる。
【００５５】
ここで、この出金処理時に、収納庫５２のうちの対応するものから繰り出され、識別部１７で汚損紙幣と識別された紙幣は、一時保留部１８の巻き取りの最も奥側の領域に収納するようになっている。
【００５６】
操作表示部１４への操作入力に応じて、モード切替部８４が、紙葉類処理装置１０を計数モードに切り替えると、制御部８１は、操作表示部１４への操作入力に応じて、以下のバッチ処理を行う。
【００５７】
［バッチ処理］
バッチ処理は紙幣Ｓを計数しつつ整理する整理計数処理である。操作表示部１４に、バッチ処理するバッチ処理対象の紙幣Ｓの金種等の種別情報と所定のバッチ枚数Ｎｋとの入力操作が入力される。ここで、バッチ枚数Ｎｋは、紙幣Ｓを束にする所定枚数を意味し、オペレータにより予め設定されてもよく、紙葉類処理装置１０により自動的に設定されてもよい。バッチ処理対象の紙幣Ｓの種別情報および所定のバッチ枚数Ｎｋの入力操作が入力されると、演算装置１５の算出部８２が、これから一時保留部１８に保留可能な紙幣Ｓの最大限の保留可能枚数Ｎｔの算出を行う。
【００５８】
具体的に、算出部８２は、この一時保留部１８が空の状態で物理的に最大限保留可能な紙幣Ｓの最大保留可能枚数Ｎｍａｘと、現時点で一時保留部１８に既に保留されている紙幣Ｓの枚数Ｎｄｔとに基づいて、現時点で一時保留部１８にこれから保留可能な紙幣Ｓの最大限の保留可能枚数Ｎｔの算出を行う。言い換えれば、算出部８２は、空状態の一時保留部１８に保留可能な紙幣Ｓの最大保留可能枚数Ｎｍａｘと、一時保留部１８に現在保留されている紙幣Ｓの枚数Ｎｄｔとに基づいて、現時点で一時保留部１８にこれから保留可能な紙幣Ｓの保留可能枚数Ｎｔを算出する。
【００５９】
ここで、一時保留部１８は、巻き取りの最も奥側の領域に、出金処理時に識別部１７で汚損紙幣と識別された紙幣を収納することになり、この場合の枚数Ｎｄｔは、この汚損紙幣の枚数となる。
【００６０】
保留可能枚数Ｎｔは、一時保留部１８における紙幣Ｓの最大保留可能枚数Ｎｍａｘから現時点で一時保留部１８に既に保留されている紙幣Ｓの枚数Ｎｄｔを減算することで算出される（Ｎｔ＝Ｎｍａｘ−Ｎｄｔ）。したがって、一時保留部１８に紙幣Ｓが保留されていない場合、一時保留部１８の最大保留可能枚数Ｎｍａｘが現時点での保留可能枚数Ｎｔとなる（Ｎｍａｘ＝Ｎｔ）。算出部８２で算出された保留可能枚数Ｎｔに関する情報は制御部８１に送信される。なお、算出部８２から受信した保留可能枚数Ｎｔがバッチ枚数Ｎｋ未満の場合、制御部８１はバッチ処理ができないとして操作表示部１４にその旨を表示させる。
【００６１】
（往路処理）
算出部８２から受信した保留可能枚数Ｎｔがバッチ枚数Ｎｋ以上の場合、制御部８１は、入金部１１の紙幣Ｓを図示略のセンサが検知していることを条件に、保留可能枚数Ｎｔに関する情報に基づいて入金部１１、搬送機構２０および一時保留部１８の駆動制御を行い、入金部１１に投入された複数枚数の紙幣Ｓを、図３に太線で示す入金処理ルートと同様のバッチ処理の往路処理ルートにより搬送するバッチ処理の往路処理を行う。
【００６２】
つまり、入金部１１が紙幣Ｓを一枚ずつ分離し間隔をあけて繰り出し、繰り出された紙幣Ｓを、搬送機構２０の入金搬送路２１、識別部１７の内部搬送路２５および直線搬送路２６の前側送路部２６ａが搬送する。内部搬送路２５での搬送中に、識別部１７が紙幣Ｓを識別および計数することになり、識別部１７がバッチ処理対象と識別した紙幣Ｓを、保留可能枚数Ｎｔまでの範囲で、最大限、直線搬送路２６の前側送路部２６ａおよび後側送路部２６ｂが一時保留部１８に搬送し、一時保留部１８に保留する（図３の太実線参照）。
【００６３】
このとき、制御部８１は、一時保留部１８を駆動制御して搬送機構２０により搬送されてきた紙幣Ｓを一枚ずつ間隔をあけてドラム３１にテープ３０とともに巻き取らせて保留させる。その際に、枚数Ｎｄｔにカウントされている既に保留されている紙幣Ｓよりも巻き取りの手前側に、バッチ処理対象と識別した紙幣Ｓを保留させる。これにより、例えば入金部１１にバッチ枚数Ｎｋを超える枚数のバッチ処理対象の紙幣Ｓがあった場合に、一時保留部１８は、バッチ枚数Ｎｋを超える枚数のバッチ処理対象の紙幣Ｓを一時保留することになる。
【００６４】
他方、識別部１７がバッチ処理対象以外と識別した紙幣Ｓは、直線搬送路２６の前側送路部２６ａから出金搬送路３５が出金部１２に搬送する（図３の太実線から太破線参照）。ここでも、種別情報が指定と異なる紙幣Ｓに加えて、搬送不良の紙幣Ｓも識別部１７がバッチ処理対象以外と識別し、搬送機構２０が出金部１２に搬送する。なお、出金部１２とは別に、紙幣Ｓを外部に取り出し可能とするリジェクト部を設けて、このリジェクト部にバッチ処理対象以外と識別した紙幣Ｓを搬送するようにしても良い。ここで、制御部８１は、出金部１２に搬送する紙幣Ｓが生じた場合、それに応じて、一時保留部１８を停止させ、一時保留部１８に保留する紙幣Ｓの間隔が一定になるように制御する。
【００６５】
今回の往路処理で一時保留部１８に保留した紙幣Ｓの枚数が、保留可能枚数Ｎｔに達すると予想されるタイミング、あるいは、図示略のセンサで入金部１１に投入された紙幣Ｓが全てなくなった状態を検知した後、これらの紙幣Ｓが全て一時保留部１８および出金部１２のいずれかに搬送された状態になるタイミングで、制御部８１は、入金部１１、搬送機構２０および一時保留部１８を停止させる。このとき、出金部１２に搬送された紙幣Ｓは、外部に取り出し可能となる。
【００６６】
すると、演算装置１５の表示情報生成部８３は、識別部１７の識別結果に基づいて、操作表示部１４に表示する情報を生成して操作表示部１４に送信する。ここで、表示情報生成部８３は、オペレータが紙葉類処理装置１０を使用する際の操作ボタンなどを操作表示部１４に表示するための操作画面情報を生成して操作表示部１４に送信する。これにより操作表示部１４では、表示情報生成部８３で生成された操作画面情報に基づいてオペレータの操作に使用される操作画面を表示する。また、表示情報生成部８３は、紙葉類処理装置１０の稼働状況情報を生成する。例えば、稼働状況情報は、今回の往路処理で一時保留部１８に保留された紙幣Ｓの枚数に関する情報と、バッチ枚数Ｎｋ（例えば１００枚）に関する情報とを含んでいる。
【００６７】
ここでは、具体例として、入金部１１に、第１種であるルーブル通貨（ＲＵＢ）の３７５枚の纏まりが下に、第２種であるＵＳドル通貨（ＵＳＤ）の４１０枚の纏まりが上になるように重ねて投入され、バッチ処理対象として、ルーブル通貨とＵＳドル通貨とが設定された場合であって、バッチ処理の往路処理で出金部１２に搬送される紙幣Ｓがなかった場合を例にとり説明する。この場合、往路処理で、一時保留部１８には、枚数Ｎｄｔにカウントされている既に保留されている紙幣Ｓよりも巻き取りの手前側にＵＳドル通貨の紙幣４１０枚が保留され、その巻き取りの手前側にルーブル通貨の紙幣３７５枚が保留される。
【００６８】
また、この場合、操作表示部１４に表示されるバッチ処理の往路処理の結果は、図７に示すようになる。すなわち、バッチ処理の往路処理において、識別部１７で識別及び計数された結果、表示領域１４ａに一時保留部１８にルーブル通貨３７５枚が保留されていることを表示し、表示領域１４ｂにＵＳドル通貨４１０枚が保留されていることを表示する。また、図７では、表示領域１４ｃに紙幣Ｓを纏まりにするバッチ枚数Ｎｋが１００枚に設定されていることを表示している。
【００６９】
ここで、表示情報生成部８３は、今回の往路処理で一時保留部１８に保留されている第１種の紙幣Ｓの枚数および第２種の紙幣Ｓの枚数が、いずれも、オペレータにより設定されたバッチ枚数Ｎｋ以上（第１状態）であると判断した場合、操作表示部１４の表示領域１４ｃに表示するバッチ枚数Ｎｋの文字（例えば、１００枚）を黒色で表示する表示態様にしてバッチ枚数Ｎｋの紙幣Ｓの払い出しが可能であることを表示する。
【００７０】
一方、表示情報生成部８３は、今回の往路処理で一時保留部１８に保留されている第１種の紙幣Ｓの枚数および第２種の紙幣Ｓの枚数のいずれかが、オペレータにより設定されたバッチ枚数Ｎｋ未満（第２状態）であると判断した場合、操作表示部１４の表示領域１４ｃに表示するバッチ枚数Ｎｋの文字（例えば、１００枚）を、一時保留部１８に現時点で保留されている紙幣Ｓの数がバッチ枚数Ｎｋ以上である場合とは異なる、例えば橙色で表示する表示態様にしてバッチ枚数Ｎｋの紙幣Ｓの払い出しができないことを表示する。
【００７１】
すなわち、表示情報生成部８３は、今回の往路処理で一時保留部１８に保留される紙幣Ｓの枚数が予め設定されたバッチ枚数Ｎｋ以上である第１状態と、今回の往路処理で一時保留部１８に保留される紙幣Ｓの枚数が予め設定されたバッチ枚数Ｎｋ未満である第２状態とで、紙葉類処理装置１０の稼働状況を異なる表示態様で操作表示部１４に表示させる。なお、今回の往路処理で一時保留部１８に保留されている紙幣Ｓの枚数がバッチ枚数Ｎｋ未満である場合、前述した表示態様に限定されるものではなく、例えば、バッチ枚数の文字を点滅表示させたり、表示色を薄くしたりしてもよく、バッチ枚数未満である旨を音声等で報知してもよい。
【００７２】
例えば、上記のように一時保留部１８にルーブル通貨３７５枚、ＵＳドル通貨４１０枚が保留されていて、予め設定されたバッチ枚数Ｎｋが１００枚である場合、バッチ処理の後述する復路処理で、ルーブル通貨は１００枚の纏まり３つと残りの７５枚の纏まり１つとが分割されて出金部１２に払い出され、ＵＳドル通貨は１００枚の纏まり４つと残りの１０枚の纏まり１つとが分割されて出金部１２に払い出される。この場合、表示領域１４ｃに表示するバッチ枚数Ｎｋの文字を黒色で表示する表示態様にすることになる。
【００７３】
なお、ルーブル通貨は１００枚の纏まり３つとＵＳドル通貨は１００枚の纏まり４つとを出金部１２に払い出す際には、表示領域１４ｃに表示するバッチ枚数Ｎｋの文字を黒色で表示する表示態様にし、ルーブル通貨の残りの７５枚の纏まり１つとＵＳドル通貨の残りの１０枚の纏まり１つとが出金部１２に払い出される際には、表示領域１４ｃに表示するバッチ枚数Ｎｋの文字を橙色で表示する表示態様にして、表示態様を異ならせるようにしても良い。
【００７４】
ここで、操作表示部１４に対し、図７に示すように、通貨のテキスト（「ＲＵＢ  ３７５」、「ＵＳＤ  ４１０」）を表示している表示領域１４ａ、１４ｂのいずれか一方をタッチすることで各々の通貨の保留状況の詳細が表示されるようになっている（図８参照）。
【００７５】
例えば、図８は、ルーブル通貨の「ＲＵＢ」のテキストを表示している表示領域１４ａをタッチした場合の詳細画面の一例を説明する図である。図８に示すように、ルーブル通貨「ＲＵＢ」のテキストを表示している表示領域１４ａをタッチすると、ルーブル通貨の金種ごとの保留枚数と保留金額とが操作表示部１４に表示される。実施形態では、一時保留部１８に保留されているルーブル通貨は、５０００ｐ、１０００ｐ、５００ｐ、１００ｐ、５０ｐ、１０ｐの６金種に区分けされており、一時保留部１８には、５０００ｐが２００枚、５００ｐが１２０枚、１００ｐが５０枚、５０ｐが５枚、１０００ｐと１０ｐとは０枚で、合計３７５枚が保留されていることが表示されている。
【００７６】
（復路処理）
上記した往路処理後の操作表示部１４の表示後、操作者が操作表示部１４に復路処理の実行操作を入力すると、制御部８１は、一時保留部１８および搬送機構２０の駆動制御を行い、図５に太線で示す返却処理ルートと同様のバッチ処理の復路処理ルートで第１種であるルーブル通貨の紙幣Ｓをバッチ枚数Ｎｋずつ一時保留部１８から出金部１２に搬送するバッチ処理の復路処理を行う。
【００７７】
つまり、一時貯留させていた紙幣Ｓを、一時保留部１８が一枚ずつ分離し間隔をあけて繰り出し、直線搬送路２６の後側送路部２６ｂおよび出金搬送路３５で出金部１２に搬送する。出金部１２に搬送された紙幣Ｓは、出金部１２で集積される。
【００７８】
制御部８１は、一時保留部１８が繰り出した紙幣Ｓがバッチ枚数Ｎｋである１００枚になると、一時保留部１８を一旦停止させ、一時保留部１８が繰り出した紙幣Ｓが、出金部１２でバッチ枚数Ｎｋに達するタイミングで、搬送機構２０の駆動を一旦停止させる。すると、表示情報生成部８３が操作表示部１４に、出金部１２に出金した紙幣Ｓの種別がルーブル通貨である旨と、そのバッチ枚数Ｎｋである１００枚と、その取り出しを促す表示とを表示させる。これにより、オペレータは、出金部１２にあるバッチ枚数Ｎｋのルーブル通貨の紙幣Ｓを出金部１２から取り出す。
【００７９】
すると、図示略のセンサが出金部１２の紙幣Ｓが取り出されたことを検知することになり、これによって、制御部８１は、今回のバッチ処理において一時保留部１８から出金部１２へ繰り出したルーブル通貨の紙幣Ｓの合計枚数である合計繰り出し枚数が、今回のバッチ処理において一時保留部１８に保留したルーブル通貨の紙幣Ｓの保留枚数になったか否かを判定する。
【００８０】
すなわち、今回のバッチ処理のそれまでの復路処理で一時保留部１８から繰り出したルーブル通貨の紙幣Ｓの合計枚数が、今回のバッチ処理の往路処理で一時保留部１８に保留されたルーブル通貨の紙幣Ｓの枚数未満であり、かつこれらの差がバッチ枚数Ｎｋ以上であると判断した場合、制御部８１は、再び、一時保留部１８および搬送機構２０の駆動制御を上記と同様に行い、図５に太線で示すバッチ処理の復路処理ルートで第１種であるルーブル通貨の紙幣Ｓをバッチ枚数Ｎｋだけ出金部１２に搬送する。
【００８１】
その後、表示情報生成部８３が、操作表示部１４に、出金部１２に出金した紙幣Ｓの種別がルーブル通貨である旨と、そのバッチ枚数Ｎｋである１００枚と、その取り出しを促す表示とを表示させる。これにより、オペレータは、出金部１２にあるバッチ枚数Ｎｋのルーブル通貨の紙幣Ｓを出金部１２から取り出す。
【００８２】
このような処理を適宜繰り返すことで、今回のバッチ処理のそれまでの復路処理で一時保留部１８から繰り出したルーブル通貨の紙幣Ｓの合計枚数が、今回のバッチ処理の往路処理で一時保留部１８に保留されたルーブル通貨の紙幣Ｓの枚数未満であり、かつこれらの差がバッチ枚数Ｎｋ未満であると判断した場合、制御部８１は、表示領域１４ｃに表示するバッチ枚数Ｎｋの文字をそれまでの黒色とは異なる橙色で表示する表示態様にし、再び、一時保留部１８および搬送機構２０の駆動制御を上記と同様に行い、図５に太線で示すバッチ処理の復路処理ルートで、今回のバッチ処理の往路処理で一時保留部１８に保留され残っていたルーブル通貨の紙幣Ｓをすべて出金部１２に搬送する。
【００８３】
そして、制御部８１は、一時保留部１８から出金部１２へ繰り出したルーブル通貨の紙幣Ｓの合計枚数である合計繰り出し枚数が、今回のバッチ処理において一時保留部１８に保留したルーブル通貨の保留枚数になると、一時保留部１８を停止させ、一時保留部１８が繰り出した紙幣Ｓが、すべて出金部１２に出金されるタイミングで、搬送機構２０の駆動を停止させる。
【００８４】
それとともに、表示情報生成部８３が、操作表示部１４に、出金部１２に出金した紙幣Ｓの種別がルーブル通貨である旨と、バッチ枚数Ｎｋに満たない端数である旨と、その枚数である７５枚と、その取り出しを促す表示とを表示させる。これにより、オペレータは、出金部１２にある端数枚数のルーブル通貨の紙幣Ｓを出金部１２から取り出す。
【００８５】
すると、図示略のセンサが出金部１２の紙幣Ｓが取り出されたことを検知することになり、これによって、制御部８１は、今回のバッチ処理において一時保留部１８から出金部１２へ繰り出したルーブル通貨の紙幣Ｓの合計枚数である合計繰り出し枚数が、今回のバッチ処理において一時保留部１８に保留したルーブル通貨の紙幣Ｓの保留枚数になったと判定する。
【００８６】
そして、再び、表示領域１４ｃに表示するバッチ枚数Ｎｋの文字を黒色で表示する表示態様にし、一時保留部１８および搬送機構２０の駆動制御を上記と同様に行い、図５に太線で示すバッチ処理の復路処理ルートで第２種であるＵＳドル通貨の紙幣Ｓを、一時保留部１８からバッチ枚数Ｎｋだけ出金部１２に搬送する。
【００８７】
制御部８１は、一時保留部１８が繰り出した紙幣Ｓがバッチ枚数Ｎｋである１００枚になると、一時保留部１８を一旦停止させ、一時保留部１８が繰り出した紙幣Ｓが、出金部１２でバッチ枚数Ｎｋに達するタイミングで、搬送機構２０の駆動を一旦停止させる。すると、表示情報生成部８３が操作表示部１４に、出金部１２に出金した紙幣Ｓの種別がＵＳドル通貨である旨と、そのバッチ枚数Ｎｋである１００枚と、その取り出しを促す表示とを表示させる。これにより、オペレータは、出金部１２にあるバッチ枚数ＮｋのＵＳドル通貨の紙幣Ｓを出金部１２から取り出す。
【００８８】
すると、図示略のセンサが出金部１２の紙幣Ｓが取り出されたことを検知することになり、これによって、制御部８１は、今回のバッチ処理において一時保留部１８から出金部１２へ繰り出したＵＳドル通貨の紙幣Ｓの合計枚数である合計繰り出し枚数が、今回のバッチ処理において一時保留部１８に保留したＵＳドル通貨の紙幣Ｓの保留枚数になったか否かを判定する。
【００８９】
すなわち、今回のバッチ処理のそれまでの復路処理で一時保留部１８から繰り出したＵＳドル通貨の紙幣Ｓの合計枚数が、今回のバッチ処理の往路処理で一時保留部１８に保留されたＵＳドル通貨の紙幣Ｓの枚数未満であり、かつこれらの差がバッチ枚数Ｎｋ以上であると判断した場合、制御部８１は、再び、一時保留部１８および搬送機構２０の駆動制御を上記と同様に行い、図５に太線で示すバッチ処理の復路処理ルートで第２種であるＵＳドル通貨の紙幣Ｓをバッチ枚数Ｎｋである１００枚だけ出金部１２に搬送する。
【００９０】
その後、表示情報生成部８３が、操作表示部１４に、出金部１２に出金した紙幣Ｓの種別がＵＳドル通貨である旨と、そのバッチ枚数Ｎｋである１００枚と、その取り出しを促す表示とを表示させる。これにより、オペレータは、出金部１２にあるバッチ枚数ＮｋのＵＳドル通貨の紙幣Ｓを出金部１２から取り出す。
【００９１】
このような処理を適宜繰り返すことで、今回のバッチ処理のそれまでの復路処理で一時保留部１８から繰り出したＵＳドル通貨の紙幣Ｓの合計枚数が、今回のバッチ処理の往路処理で一時保留部１８に保留されたＵＳドル通貨の紙幣Ｓの枚数未満であり、かつこれらの差がバッチ枚数Ｎｋ未満であると判断した場合、制御部８１は、表示領域１４ｃに表示するバッチ枚数Ｎｋの文字をそれまでの黒色とは異なる橙色で表示する表示態様にし、再び、一時保留部１８および搬送機構２０の駆動制御を上記と同様に行い、図５に太線で示すバッチ処理の復路処理ルートで、今回のバッチ処理の往路処理で一時保留部１８に保留され残っていたＵＳドル通貨の紙幣Ｓをすべて出金部１２に搬送する。
【００９２】
そして、制御部８１は、一時保留部１８から出金部１２へ繰り出したＵＳドル通貨の紙幣Ｓの合計枚数である合計繰り出し枚数が、今回のバッチ処理において一時保留部１８に保留したＵＳドル通貨の保留枚数になると、一時保留部１８を停止させ、一時保留部１８が繰り出した紙幣Ｓが、すべて出金部１２に出金されるタイミングで、搬送機構２０の駆動を停止させる。
【００９３】
それとともに、表示情報生成部８３が、操作表示部１４に、出金部１２に出金した紙幣Ｓの種別がＵＳドル通貨である旨と、バッチ枚数Ｎｋに満たない端数である旨と、その枚数である１０枚と、その取り出しを促す表示とを表示させる。これにより、オペレータは、出金部１２にある端数枚数のＵＳドル通貨の紙幣Ｓを出金部１２から取り出す。
【００９４】
すると、図示略のセンサが出金部１２の紙幣Ｓが取り出されたことを検知することになり、これによって、制御部８１は、今回のバッチ処理において一時保留部１８から出金部１２へ繰り出したＵＳドル通貨の紙幣Ｓの合計枚数である合計繰り出し枚数が、今回のバッチ処理において一時保留部１８に保留したＵＳドル通貨の紙幣Ｓの保留枚数になったと判定する。
【００９５】
以上により、入金部１１に投入された、ルーブル通貨の３７５枚の纏まりとＵＳドル通貨の４１０枚の纏まりとが、ルーブル通貨の紙幣Ｓのバッチ枚数である１００枚の纏まり３つと、ルーブル通貨の紙幣Ｓのバッチ枚数に満たない７５枚の纏まり１つと、ＵＳドル通貨の紙幣Ｓのバッチ枚数である１００枚の纏まり４つと、ＵＳドルの紙幣Ｓのバッチ枚数に満たない１０枚の纏まり１つと、に分けられて出金される。
【００９６】
ここで、制御部８１は、バッチ処理の往路処理において一時保留部１８に保留した紙幣Ｓの枚数が、保留可能枚数Ｎｔに達することになると予想されるタイミングで入金部１１を停止させて、処理を復路処理に切り替えることになる。この場合、往路処理で一時保留部１８に保留し切れずに入金部１１に紙幣Ｓが残る場合がある。
【００９７】
このため、制御部８１は、復路処理において最後に一時保留部１８からバッチ枚数に満たない紙幣Ｓを出金部１２に繰り出す前に、入金部１１に残っている紙幣Ｓがあれば、往路処理を行って、入金部１１に残っている紙幣Ｓを一時保留部１８に保留してから復路処理を行う。これらの処理を適宜繰り返して入金部１１に残っている紙幣Ｓがなくなるようにする。
【００９８】
つまり、制御部８１は、一時保留部１８に保留されている紙幣Ｓの枚数が、予め設定されたバッチ枚数未満であると判断した場合、入金部１１に投入された紙幣Ｓを、一時保留部１８に保留される紙幣Ｓの枚数が少なくともバッチ枚数以上となるように一時保留部１８に保留する。
【００９９】
例えば、上記の往路処理において、ルーブル通貨３７５枚とＵＳドル通貨４１０枚とで、一時保留部１８に保留可能な保留可能枚数Ｎｔに達した場合に、入金部１１に紙幣Ｓがあることを図示略のセンサが検知していると、制御部８１は、上記と同様に復路処理を行うことになるが、その最後の処理が異なることになる。
【０１００】
すなわち、制御部８１は、今回のバッチ処理のそれまでの復路処理で一時保留部１８から繰り出したＵＳドル通貨の紙幣Ｓの合計枚数が、今回のバッチ処理の往路処理で一時保留部１８に保留されたＵＳドル通貨の紙幣Ｓの枚数未満であり、かつこれらの差がバッチ枚数Ｎｋ未満（例えば１０枚）であると判断した場合、往路処理を行って、入金部１１に残っている紙幣Ｓを一時保留部１８に、今回のバッチ処理で保留されて残っている紙幣Ｓの枚数（例えば１０枚）との合計枚数が保留可能枚数Ｎｔの範囲内となるように保留してから、再び復路処理を行う。これらの処理を適宜繰り返して入金部１１に残っている紙幣Ｓがなくなるようにする。
【０１０１】
以上のバッチ処理の基本制御は、図９に示すフローチャートに基づく。すなわち、演算装置１５の制御部８１が、図示略のセンサによる入金部１１への紙幣Ｓの入金を検知すると（ステップＳ１０１）、演算装置１５の算出部８２が、その時点で一時保留部１８に保留可能な紙幣Ｓの保留可能枚数Ｎｔを算出する（ステップＳ１０２）。すると、制御部８１が、入金部１１および搬送機構２０を駆動制御して、保留可能枚数Ｎｔまでの範囲の紙幣Ｓを、可能な限り多く、入金部１１から一時保留部１８に向けて搬送し（ステップＳ１０３）、一時保留部１８に保留する（ステップＳ１０４）。すなわち、算出部８２により算出された、一時保留部１８に保留可能な枚数の紙幣Ｓを一時保留部１８に搬送して保留する。その際に、一時保留部１８はドラム３１によりテープ３０とともに紙幣Ｓを一枚ずつ巻き取って保留する。
【０１０２】
次に、制御部８１は一時保留部１８を駆動制御して、一時保留部１８に保留された紙幣Ｓのうち予め設定されたバッチ枚数Ｎｋの紙幣Ｓを一時保留部１８から繰り出し、搬送機構２０により搬送して、出金部１２に繰り出す（ステップＳ１０５）。すなわち、一時保留部１８に保留された紙幣Ｓを一枚ずつバッチ枚数に到達するまで出金部１２に出金する。そして、一時保留部１８から出金部１２へ繰り出した紙幣Ｓの合計枚数である合計繰り出し枚数が、今回のバッチ処理において一時保留部１８に保留した保留枚数になったか否かを判定し（ステップＳ１０６）、合計繰り出し枚数が、今回のバッチ処理において一時保留部１８に保留した保留枚数になった場合（ステップＳ１０６：ＹＥＳ）、制御部８１は、一時保留部１８に保留した紙幣Ｓの全てを整理計数したと判断してバッチ処理を終了する。
【０１０３】
一方、合計繰り出し枚数が、今回のバッチ処理において一時保留部１８に保留した保留枚数になっていない場合（ステップＳ１０６：ＮＯ）、言い換えれば、紙幣Ｓの合計繰り出し枚数が保留枚数未満である場合、制御部８１は今回のバッチ処理で一時保留部１８に保留した紙幣Ｓのうち、その時点で、一時保留部１８に残っている枚数である保留残がバッチ枚数Ｎｋ以上であるか否かを判定する（ステップＳ１０７）。保留残がバッチ枚数Ｎｋ以上である場合（ステップＳ１０７：ＹＥＳ）、一時保留部１８に保留されている紙幣Ｓでバッチ枚数Ｎｋを計数し繰り出すことができるので、ステップＳ１０５に戻って、バッチ枚数Ｎｋの紙幣Ｓを一時保留部１８から再び繰り出し、搬送機構２０により出金部１２に搬送する。
【０１０４】
一方、一時保留部１８に保留される紙幣Ｓの保留残がバッチ枚数Ｎｋ以上でない場合（ステップＳ１０７：ＮＯ）、一時保留部１８で保留されている紙幣Ｓでバッチ枚数Ｎｋを計数し繰り出すことができないので、一時保留部１８を駆動制御し、今回のバッチ処理で一時保留部１８に保留した紙幣Ｓのうち、その時点で、一時保留部１８に残っている枚数である保留残を一時保留部１８から繰り出し、搬送機構２０により搬送して出金部１２に繰り出す（ステップＳ１０８）。
【０１０５】
以上の通り、実施形態では、
（１）入金部１１に投入された複数枚の紙葉類（紙幣Ｓ）を、予め設定されたバッチ枚数ずつ計数して出金部１２に出金する紙葉類処理装置１０であって、入金部１１に投入された紙幣Ｓの保留および当該保留した紙幣Ｓの繰り出しを行う一時保留部１８と、一時保留部１８における紙幣Ｓの繰り出し制御および入金部１１に投入された紙幣Ｓの搬送制御を行う制御部８１と、を有し、制御部８１は、一時保留部１８に保留された紙幣Ｓを前記バッチ枚数ずつ繰り出して出金部１２に分割して出金する制御を行う構成とした。
【０１０６】
このように構成すると、紙葉類処理装置１０は、入金部１１に投入された複数枚の紙幣Ｓを一時保留部１８に保留し、この一時保留部１８に保留した紙幣Ｓをバッチ枚数ずつ繰り出して出金部１２に分割して出金する。すると、入金部１１に投入された複数枚の紙幣Ｓをバッチ枚数ずつ一時保留部１８に保留してから、その保留したバッチ枚数の紙幣Ｓの全てを出金部１２に搬送する処理を、入金部１１に投入された紙幣Ｓが無くなるまで繰り返す場合に比べて、入金部１１に投入された紙幣Ｓを一度に纏めて一時保留部１８に保留する分だけ、入金部１１から一時保留部１８への紙幣Ｓの搬送回数を減らすことができ、紙幣Ｓをバッチ枚数ずつ取り出す時間を短くすることができる。したがって、バッチ処理の効率を向上させることができる。
【０１０７】
（２）一時保留部１８は、紙幣Ｓを一枚ずつ巻き取り可能に構成された回転体（ドラム３１）を有し、ドラム３１は、巻き取った紙幣Ｓを一枚ずつ繰り出す構成とした。
【０１０８】
このように構成すると、一時保留部１８が有するドラム３１は、紙幣Ｓの巻き取り及び繰り出しを一枚ずつ正確に行うことが可能である。よって、紙葉類処理装置１０では、このようなドラム３１を有する一時保留部１８に保留した複数枚の紙幣Ｓをバッチ枚数に到達するまで一枚ずつ繰り出すことで、入金部１１から一時保留部１８への紙幣Ｓの搬送回数を減らし、紙幣Ｓの所定枚数ずつの計数時間を短くすることができる。
【０１０９】
（３）一時保留部１８に保留可能な紙幣Ｓの枚数を算出する算出部８２を有し、制御部８１は、算出部８２で算出した一時保留部１８に保留可能な枚数の紙幣Ｓを一時保留部１８に保留する構成とした。
【０１１０】
このように構成すると、制御部８１は、入金部１１に投入された紙幣Ｓのうち、算出部８２で算出した一時保留部１８に保留可能な枚数の紙幣Ｓを一時保留部１８に一度に保留するので、一時保留部１８に効率良く紙幣Ｓを保留することができ、紙幣Ｓの入金部１１から一時保留部１８への搬送回数を減らすことができる。
【０１１１】
（４）算出部８２は、空状態の一時保留部１８に保留可能な紙葉類の最大保留可能枚数と、一時保留部１８に現在保留されている紙幣Ｓの枚数とに基づいて、現時点で一時保留部１８に保留可能な紙葉類の保留可能枚数を算出する構成とした。
【０１１２】
このように構成すると、紙葉類処理装置１０は、算出部８２により算出された、現時点で一時保留部１８に保留可能な保留可能枚数の紙幣Ｓを一時保留部１８に一度に保留したのち、この保留した紙幣Ｓをバッチ枚数に到達するまで一時保留部１８から一枚ずつ繰り出すことができる。よって、紙葉類処理装置１０は、現時点で一時保留部１８に保留可能な保留可能枚数の紙幣Ｓを保留した一時保留部１８から紙幣Ｓをバッチ枚数に到達するまで一枚ずつ繰り出す処理を、入金部１１に投入された紙幣Ｓが無くなるまで繰り返せばいいので、入金部１１から一時保留部１８への紙幣Ｓの搬送回数を減らすことができ、紙幣Ｓの計数処理に必要な時間を一時保留部１８の保留容量に応じて最大限短くすることができる。
【０１１３】
（５）入金部１１に投入された複数枚の紙幣Ｓのうち予め設定されたバッチ枚数だけ紙幣Ｓを計数して出金部１２に搬送する計数モードと、入金部１１に投入された複数枚の紙幣Ｓを所定の種類ごとに分類して収納する収納モードと、を切り替えるモード切替部８４を有する構成とした。
【０１１４】
このように構成すると、紙葉類処理装置１０は、モード切替部８４により計数モードに切り替えることにより、入金部１１に投入された紙幣Ｓを一時保留部１８に保留した後、一時保留部１８から出金部１２に繰り出す。よって、紙葉類処理装置１０では、入金部１１に投入された紙幣Ｓを一時保留部１８に巻取り可能な最大限の枚数だけ一時保留部１８に一度に巻き取っておき、そこから一枚ずつバッチ枚数に到達するまで分けて出金部１２に繰り出すことができる。これにより、紙葉類処理装置１０では、入金部１１に投入された紙幣Ｓをバッチ枚数ずつ取り出す計数モードにおいて、入金部１１から一時保留部１８への紙幣Ｓの搬送回数を減らすことができ、紙幣Ｓの計数処理の時間を短くすることができる。
【０１１５】
（６）制御部８１は、一時保留部１８に保留されている紙幣Ｓの枚数が、予め設定されたバッチ枚数未満であると判断した場合、入金部１１に投入された紙幣Ｓを、一時保留部１８に保留される紙幣Ｓの枚数が少なくともバッチ枚数以上となるように一時保留部１８に保留する構成とした。
【０１１６】
このように構成すると、制御部８１は、一時保留部１８に保留されている紙幣Ｓの枚数がバッチ枚数よりも少ないと判断した場合、一時保留部１８に保留される紙幣Ｓの枚数がバッチ枚数以上となるように入金部１１から紙幣Ｓを搬送する。よって、紙葉類処理装置１０は、入金部１１に投入された紙幣Ｓを効率よく計数処理することができる。
【０１１７】
（７）紙葉類処理装置１０の稼動状況に関する情報を表示する表示部（操作表示部１４）をさらに有し、操作表示部１４は、一時保留部１８に保留されている紙幣Ｓの枚数が予め設定されたバッチ枚数以上である第１状態と、一時保留部１８に保留されている紙幣Ｓの枚数が予め設定されたバッチ枚数未満である第２状態とで、紙葉類処理装置１０の稼働状況を異なる表示態様で表示する構成とした。
【０１１８】
このように構成すると、紙葉類処理装置１０では、一時保留部１８に保留されている紙幣Ｓの枚数がバッチ枚数未満となった場合、操作表示部１４によりその旨が明確に表示されるので、バッチ枚数の計数が行えない状況を視認により容易に把握することができる。
【０１１９】
（８）入金部１１に投入された複数枚の紙幣Ｓを、予め設定されたバッチ枚数ずつ計数して出金部１２に出金する紙葉類処理方法であって、入金部１１に投入された複数枚の紙幣Ｓのうち一時保留部１８に保留可能な枚数を算出し、前記算出された一時保留部１８に保留可能な枚数の紙幣Ｓを一時保留部１８に搬送して保留し、一時保留部１８に保留された紙幣Ｓを一枚ずつバッチ枚数に到達するまで出金部１２に出金する構成とした。
【０１２０】
このように構成すると、紙葉類処理装置１０は、入金部１１に投入された複数枚の紙幣Ｓを一時保留部１８に保留し、この一時保留部１８に保留した紙幣Ｓをバッチ枚数ずつ繰り出して出金部１２に分割して出金する。すると、入金部１１に投入された複数枚の紙幣Ｓをバッチ枚数ずつ一時保留部１８に保留してから、その保留したバッチ枚数の紙幣Ｓの全てを出金部１２に搬送する処理を、入金部１１に投入された紙幣Ｓが無くなるまで繰り返す場合に比べて、入金部１１に投入された紙幣Ｓを一度に纏めて一時保留部１８に保留する分だけ、入金部１１から一時保留部１８への紙幣Ｓの搬送回数を減らすことができ、紙幣Ｓをバッチ枚数ずつ取り出す時間を短くすることができる。したがって、バッチ処理の効率を向上させることができる。
【０１２１】
（９）一時保留部１８は、回転体（ドラム３１）により紙幣Ｓを一枚ずつ巻き取って保留する構成とした。
【０１２２】
このように構成すると、制御部８１は、入金部１１に投入された紙幣Ｓのうち、算出部８２で算出した一時保留部１８に保留可能な枚数の紙葉類を一時保留部１８に一度に保留するので、一時保留部１８に効率良く紙幣Ｓを保留することができ、紙幣Ｓの入金部１１から一時保留部１８への搬送回数を減らすことができる。
【０１２３】
（１０）空状態の前記一時保留部に保留可能な紙幣Ｓの最大保留可能枚数と、前記一時保留部に現在保留されている紙幣Ｓの枚数とに基づいて、現時点で前記一時保留部に保留可能な紙幣Ｓの保留可能枚数を算出する構成とした。
【０１２４】
このように構成すると、紙葉類処理装置１０は、算出部８２により算出された、現時点で一時保留部１８に保留可能な保留可能枚数の紙幣Ｓを一時保留部１８に一度に保留したのち、この保留した紙幣Ｓをバッチ枚数に到達するまで一時保留部１８から一枚ずつ繰り出すことができる。よって、紙葉類処理装置１０は、現時点で一時保留部１８に保留可能な保留可能枚数の紙幣Ｓを保留した一時保留部１８から紙幣Ｓをバッチ枚数に到達するまで一枚ずつ繰り出す処理を、入金部１１に投入された紙幣Ｓが無くなるまで繰り返せばいいので、入金部１１から一時保留部１８への紙幣Ｓの搬送回数を減らすことができ、紙幣Ｓの計数処理に必要な時間を一時保留部１８の保留容量に応じて最大限短くすることができる。
【０１２５】
以上においては、紙葉類として紙幣を処理する紙葉類処理装置１０を例にとり説明したが、紙幣以外の、有価証券、金券等の、種々の紙葉類を同様に処理する装置に適用可能である。
【符号の説明】
【０１２６】
１０  紙葉類処理装置
１１  入金部
１２  出金部
１４  操作表示部（表示部）
１８  一時保留部
３１  ドラム（回転体）
８１  制御部
８２  算出部
８４  モード切替部
Ｓ  紙幣（紙葉類）
【図１】
2020149414.tif 000003
【図２】
2020149414.tif 000004
【図３】
2020149414.tif 000005
【図４】
2020149414.tif 000006
【図５】
2020149414.tif 000007
【図６】
2020149414.tif 000008
【図７】
2020149414.tif 000009
【図８】
2020149414.tif 000010
【図９】
2020149414.tif 000011